(57)【要約】  【課題】取出し口の照明を点灯すべきか否かの判定ができる自動販売機の制御装置を提供するものである。  【解決手段】周囲照度判定手段１にて周囲が明るいと判定されている際に、商品を払い出した場合は取出し口照明制御手段７にて取出し口照明を点灯させないことにより、周囲照度判定手段１にて、取出し口照明を点灯すべき明るさかどうかを判定し、自動販売機の周囲が明るいと判定した場合は、取出し口照明を消灯することで、無駄な電力の消費をなくすことができる自動販売機の制御装置を提供することができるものである。【選択図】図１
2008040655.tif 000002
【特許請求の範囲】
【請求項１】
周囲の明るさを判定する周囲照度判定手段と、商品を払い出す取出し口を照明する取出し口照明を制御する取出し口照明制御手段とを備え、前記周囲照度判定手段にて周囲が明るいと判定されている際に、商品を払い出した場合は前記取出し口照明制御手段にて取出し口照明を点灯させないことを特徴とした自動販売機の制御装置。
【請求項２】
時間を計測するタイマーと、商品を払い出す取出し口を照明する取出し口照明を制御する取出し口照明制御手段と、取出し口照明を消灯する時間を記憶している取出し口照明消灯時間記憶手段とを備え、前記タイマーの現在時刻が前記取出し口照明消灯時間記憶手段に記憶されている取出し口照明消灯時間と一致している際に、商品を払い出した場合は前記取出し口照明制御手段にて取出し口照明を点灯させないことを特徴とした自動販売機の制御装置。
【請求項３】
前記取出し口照明消灯時間記憶手段に記憶されている取出し口照明消灯時間を変更できる取出し口照明消灯時間設定手段を備え、前記取出し口照明消灯時間設定手段にて設定された取出し口照明消灯時間を、前記取出し口照明消灯時間記憶手段に記憶させることを特徴とした請求項２に記載の自動販売機の制御装置。
【請求項４】
周囲の明るさを判定する周囲照度判定手段と、取出し口照明を消灯する条件を設定できる取出し口照明消灯条件設定手段と、取出し口照明を消灯する条件を記憶する取出し口照明消灯条件記憶手段を備え、前記取出し口照明消灯条件設定手段にて設定された、取出し口照明を消灯する条件を前記取出し口照明消灯条件記憶手段に記憶させ、前記取出し口照明消灯条件記憶手段に記憶されている取出し口照明を消灯する条件に基づき、前記周囲照度判定手段にて周囲が明るいと判定されている際に、商品を払い出した場合は前記取出し口照明制御手段にて取出し口照明を点灯させない制御か、前記タイマーの現在時刻が前記取出し口照明消灯時間記憶手段に記憶されている取出し口照明消灯時間内である際に、商品を払い出した場合は前記取出し口照明制御手段にて取出し口照明を点灯させない制御を選択することを特徴とした請求項３に記載の自動販売機の制御装置。
【請求項５】
取出し口照明の照度を可変する取出し口照明照度制御手段を備え、前記周囲照度判定手段にて判定された周囲の明るさに応じて、前記取出し口照明照度制御手段にて取出し口照明の照度を可変することを特徴とした請求項１または４に記載の自動販売機の制御装置。
【発明の詳細な説明】
【技術分野】
【０００１】
本発明は、自動販売機における制御装置に関するものである。
【背景技術】
【０００２】
従来から、自動販売機の商品を払い出す取出し口に照明装置を取り付け、商品を払い出した場合に、照明を点灯することで、顧客に商品の払出しを知らせていた。
【０００３】
このような、自動販売機は特許文献１などに記載されている。そして、特許文献１の自動販売機では、複数の照明装置を取り付け、商品を払い出す位置に応じて、照明を点灯させる照明装置を切換え、顧客に、より確実に商品の払出し位置を知らせている。
【特許文献１】特開２００３−１８７３０８号公報
【発明の開示】
【発明が解決しようとする課題】
【０００４】
しかしながら、前記従来の構成では、自動機販売機の周囲の明るさに関係なく、常に取出し口の照明を点灯しているので、周囲が明るく、照明を点灯しなくても商品の払出しを認識できるにも関わらず、取出し口の照明が点灯され、電力が無駄に消費されるという課題を有していた。
【０００５】
本発明は、前記従来の課題を解決するもので、取出し口の照明を点灯すべきか否かの判定ができる自動販売機の制御装置を提供することを目的とする。
【課題を解決するための手段】
【０００６】
前記従来の課題を解決するために、本発明の自動販売機の制御装置は、周囲の明るさを判定する周囲照度判定手段と、商品を払い出す取出し口を照明する取出し口照明を制御する取出し口照明制御手段と、前記周囲照度判定手段と前記取出し口照明制御手段に接続された演算制御部を備え、前記演算制御部は、前記周囲照度判定手段にて周囲が明るいと判定されている際に、商品を払い出した場合は前記取出し口照明制御手段にて取出し口照明を点灯させないとしたものである。
【０００７】
これによって前記周囲照度判定手段にて、取出し口照明を点灯すべき明るさかどうかを判定でき、その判定に基づき取出し口照明を制御できる。
【０００８】
また、本発明の自動販売機の制御装置は、時間を計測するタイマーと、商品を払い出す取出し口を照明する取出し口照明を制御する取出し口照明制御手段と、取出し口照明を消灯する時間を記憶している取出し口照明消灯時間記憶手段と、前記タイマーと前記取出し口照明制御手段と前記取出し口照明消灯時間記憶手段に接続された演算制御部を備え、前記演算制御部は、前記タイマーの現在時刻が前記取出し口照明消灯時間記憶手段に記憶されている取出し口照明消灯時間と一致している際に、商品を払い出した場合は前記取出し口照明制御手段にて取出し口照明を点灯させないとしたものである。
【０００９】
これによって、取出し口照明を消灯したい時間に基づき取出し口照明を制御できる。
【００１０】
また、本発明の自動販売機の制御装置は、前記取出し口照明消灯時間記憶手段に記憶されている取出し口照明消灯時間を変更できる取出し口照明消灯時間設定手段を備え、前記演算制御部は、前記取出し口照明消灯時間設定手段にて設定された取出し口照明消灯時間を、前記取出し口照明消灯時間記憶手段に記憶させることができるとしたものである。
【００１１】
これによって、取出し口照明を消灯したい時間を変更することができ、その時間に基づき取出し口照明を制御できる。
【００１２】
また、本発明の自動販売機の制御装置は、周囲の明るさを判定する周囲照度判定手段と、取出し口照明を消灯する条件を設定できる取出し口照明消灯条件設定手段と、取出し口照明を消灯する条件を記憶する取出し口照明消灯条件記憶手段を備え、前記演算制御部は、前記取出し口照明消灯条件設定手段にて設定された、取出し口照明を消灯する条件を前記取出し口照明消灯条件記憶手段に記憶させ、前記取出し口照明消灯条件記憶手段に記憶されている取出し口照明を消灯する条件に基づき、前記周囲照度判定手段にて周囲が明るいと判定されている際に、商品を払い出した場合は前記取出し口照明制御手段にて取出し口照明を点灯させない制御か、前記タイマーの現在時刻が前記取出し口照明消灯時間記憶手段に記憶されている取出し口照明消灯時間と一致している際に、商品を払い出した場合は前記取出し口照明制御手段にて取出し口照明を点灯させない制御を選択することとしたものである。
【００１３】
これによって前記取出し口照明消灯条件記憶手段に取出し口照明を消灯する条件を記憶させ、その取出し口照明を消灯する条件に基づき取出し口照明を制御できる。
【００１４】
また、本発明の自動販売機の制御装置は、取出し口照明の照度を可変する取出し口照明照度制御手段を備え、前記演算制御部は、前記周囲照度判定手段にて判定された周囲の明るさに応じて、前記取出し口照明照度制御手段にて取出し口照明の照度を可変することとしたものである。
【００１５】
これによって、前記周囲照度判定手段にて、点灯するのに適した取出し口照明の照度を判定でき、その判定に基づき取出し口照明を制御できる。
【発明の効果】
【００１６】
本発明の自動販売機の制御装置は、自動販売機の周囲の明るさに応じて、取出し口照明を制御できる。
【発明を実施するための最良の形態】
【００１７】
請求項１の発明は、周囲の明るさを判定する周囲照度判定手段と、商品を払い出す取出し口を照明する取出し口照明を制御する取出し口照明制御手段とを備え、前記周囲照度判定手段にて周囲が明るいと判定されている際に、商品を払い出した場合は前記取出し口照明制御手段にて取出し口照明を点灯させないことにより、前記周囲照度判定手段にて、取出し口照明を点灯すべき明るさかどうかを判定し、自動販売機の周囲が明るいと判定した場合は、取出し口照明を消灯することで、無駄な電力の消費をなくすことができる。
【００１８】
請求項２の発明は、時間を計測するタイマーと、商品を払い出す取出し口を照明する取出し口照明を制御する取出し口照明制御手段と、取出し口照明を消灯する時間を記憶している取出し口照明消灯時間記憶手段とを備え、前記タイマーの現在時刻が前記取出し口照明消灯時間記憶手段に記憶されている取出し口照明消灯時間と一致している際に、商品を払い出した場合は前記取出し口照明制御手段にて取出し口照明を点灯させないことにより、取出し口照明を消灯したい時間に基づき取出し口照明を消灯することで、昼間のように自動販売機の周囲が明るい時間帯に、取出し口照明を消灯することで、無駄な電力の消費をなくすことができる。
【００１９】
請求項３の発明は、特に、請求項２に記載の発明に、さらに、前記取出し口照明消灯時間記憶手段に記憶されている取出し口照明消灯時間を変更できる取出し口照明消灯時間設定手段を備え、前記取出し口照明消灯時間設定手段にて設定された取出し口照明消灯時間を、前記取出し口照明消灯時間記憶手段に記憶させることにより、取出し口照明を消灯したい時間を変更することができ、その時間に基づき取出し口照明を消灯することで、ロケーションに応じて、取出し口照明を必要としない時間帯に、取出し口照明を消灯することで、無駄な電力の消費をなくすことができる。
【００２０】
請求項４の発明は、特に、請求項３に記載の発明に、周囲の明るさを判定する周囲照度判定手段と、取出し口照明を消灯する条件を設定できる取出し口照明消灯条件設定手段と、取出し口照明を消灯する条件を記憶する取出し口照明消灯条件記憶手段を備え、前記取出し口照明消灯条件設定手段にて設定された、取出し口照明を消灯する条件を前記取出し口照明消灯条件記憶手段に記憶させ、前記取出し口照明消灯条件記憶手段に記憶されている取出し口照明を消灯する条件に基づき、前記周囲照度判定手段にて周囲が明るいと判定されている際に、商品を払い出した場合は前記取出し口照明制御手段にて取出し口照明を点灯させない制御か、前記タイマーの現在時刻が前記取出し口照明消灯時間記憶手段に記憶されている取出し口照明消灯時間と一致している際に、商品を払い出した場合は前記取出し口照明制御手段にて取出し口照明を点灯させない制御を選択することにより、取出し口照明を消灯する条件に基づき取出し口照明を制御でき、自動販売機の周囲の明るさで取出し口照明を消灯するか、時間にて取出し口照明を消灯するか、自動販売機の周囲の明るさと時間の両方の条件にて取出し口照明を消灯するかを選択でき、ロケーションに最も適した条件にて、取出し口照明を消灯することで、無駄な電力の消費を最大限になくすことができる。
【００２１】
請求項５の発明は、特に、請求項１または４に記載の発明に、さらに、取出し口照明の照度を可変する取出し口照明照度制御手段を備え、前記周囲照度判定手段にて判定された周囲の明るさに応じて、前記取出し口照明照度制御手段にて取出し口照明の照度を可変することにより、前記周囲照度判定手段にて、点灯するのに適した取出し口照明の照度を判定でき、その判定に基づき取出し口照明を点灯するので、取出し口照明を点灯する場合でも、周囲の明るさに合わせて照度を調整するので、より細かな電力の消費をなくすことができる。
【００２２】
（実施の形態１）
図１は本発明の実施の形態１による自動販売機の制御装置の機能ブロック図である。図２は、同実施の形態の自動販売機の制御装置の動作を示すフローチャートである。
【００２３】
図１において、周囲照度判定手段１は、光センサー等にて周囲の明るさを照度にて判定する。タイマー２は、現在時間をカウントする。取出し口照明消灯時間記憶手段３は、取出し口照明を消灯する時間を記憶する。取出し口照明消灯時間設定手段４は、取出し口照明消灯時間記憶手段３に記憶されている取出し口照明消灯時間を変更できる。取出し口照明消灯条件記憶手段５は、取出し口照明を消灯する条件を記憶する。
【００２４】
取出し口照明消灯条件設定手段６は、取出し口照明消灯条件記憶手段５に記憶されている取出し口照明を消灯する条件を変更できる。取出し口照明制御手段７は、商品を払い出す取出し口を照明する取出し口照明の点灯および消灯を制御する。
【００２５】
取出し口照明照度制御手段８は、取出し口照明の照度を可変する。商品搬出制御手段９は、商品の搬出を制御する。演算制御部１０は、取出し口照明消灯時間設定手段４にて取出し口照明の消灯時間を設定された場合、取出し口照明消灯時間記憶手段３に設定された消灯時間を記憶させ、取出し口照明消灯条件設定手段６にて取出し口照明を消灯する条件を設定された場合、取出し口照明消灯条件記憶手段５に設定された条件を記憶させ、商品搬出制御手段９にて商品搬出が実施された場合、取出し口照明消灯条件記憶手段５に記憶されている取出し口照明を消灯する条件と周囲照度判定手段１にて判定された周囲の明るさと取出し口照明消灯時間記憶手段３に記憶されている取出し口照明消灯時間に基づき、取出し口照明の点灯あるいは消灯を判定し、点灯の場合、周囲照度判定手段１にて判定された周囲の明るさに応じた照度を、取出し口照明照度制御手段８にて制御し、取出し口照明制御手段７にて取出し口照明を点灯させる。
【００２６】
以上のように構成された自動販売機の制御装置について、以下その動作を図２のフローチャートをもとにして説明する。
【００２７】
まず、演算制御部１０は、取出し口照明消灯時間設定手段４が操作されたか否かを判定する（ＳＴＥＰ１）。操作された場合、取出し口照明消灯時間設定手段４にて入力された取出し口照明を消灯する時間を、取出し口照明消灯時間記憶手段３に記憶する（ＳＴＥＰ２）。取出し口照明消灯条件設定手段６が操作されたか否かを判定する（ＳＴＥＰ３）。
【００２８】
操作された場合、取出し口照明消灯条件設定手段６にて入力された取出し口照明を消灯する条件を、取出し口照明消灯条件記憶手段５に記憶する（ＳＴＥＰ４）。商品搬出制御手段９にて、商品が搬出されたか否かを判定し、商品が搬出されていない場合は処理を終了する（ＳＴＥＰ５）。
【００２９】
商品が搬出された場合、取出し口照明消灯条件記憶手段５に記憶されている取出し口照明を消灯する条件を確認し、取出し口照明を消灯する条件が、周囲照度の場合、周囲照度判定手段１にて判定された周囲の明るさにて、取出し口照明を点灯するか消灯するかを判定する。取出し口照明を消灯する条件が、取出し口照明消灯時間の場合、タイマー２にて認識できる現在時刻と取出し口照明消灯時間記憶手段３に記憶されている取出し口照明を消灯する時間にて、取出し口照明を点灯するか消灯するかを判定する。
【００３０】
取出し口照明を消灯する条件が、周囲照度と取出し口照明消灯時間の両方の場合、周囲照度判定手段１にて判定された周囲の明るさとタイマー２にて認識できる現在時刻と取出し口照明消灯時間記憶手段３に記憶されている取出し口照明を消灯する時間にて、取出し口照明を点灯するか消灯するかを判定する（ＳＴＥＰ６）。
【００３１】
取出し口照明が消灯に判定された場合は処理を終了する（ＳＴＥＰ７）。取出し口照明が点灯の場合、周囲照度判定手段１にて判定された周囲の明るさに応じた照度を、取出し口照明照度制御手段８にて、可変し（ＳＴＥＰ８）、取出し口照明制御手段７にて取出し口照明を点灯させる（ＳＴＥＰ９）。
【００３２】
以上のように本実施の形態１の自動販売機の制御装置によれば、周囲照度判定手段１にて周囲が明るいと判定されている際に、商品を払い出した場合は取出し口照明制御手段７にて取出し口照明を点灯させないことにより、周囲照度判定手段１にて、取出し口照明を点灯すべき明るさかどうかを判定し、自動販売機の周囲が明るいと判定した場合は、取出し口照明を消灯することで、無駄な電力の消費をなくすことができる。
【００３３】
また、タイマー２の現在時刻が取出し口照明消灯時間記憶手段３に記憶されている取出し口照明消灯時間と一致している際に、商品を払い出した場合は取出し口照明制御手段７にて取出し口照明を点灯させないことにより、取出し口照明を消灯したい時間に基づき取出し口照明を消灯することで、昼間のように自動販売機の周囲が明るい時間帯に、取出し口照明を消灯することで、無駄な電力の消費をなくすことができる。
【００３４】
また、取出し口照明消灯時間設定手段４にて設定された取出し口照明消灯時間を、取出し口照明消灯時間記憶手段３に記憶させることにより、取出し口照明を消灯したい時間を変更することができ、その時間に基づき取出し口照明を消灯することで、ロケーションに応じて、取出し口照明を必要としない時間帯に、取出し口照明を消灯することで、無駄な電力の消費をなくすことができる。
【００３５】
また、取出し口照明消灯条件設定手段６にて設定された、取出し口照明を消灯する条件を取出し口照明消灯条件記憶手段５に記憶させ、取出し口照明消灯条件記憶手段５に記憶されている取出し口照明を消灯する条件に基づき、周囲照度判定手段１にて周囲が明るいと判定されている際に、商品を払い出した場合は取出し口照明制御手段７にて取出し口照明を点灯させない制御か、タイマー２の現在時刻が取出し口照明消灯時間記憶手段３に記憶されている取出し口照明消灯時間と一致している際に、商品を払い出した場合は取出し口照明制御手段７にて取出し口照明を点灯させない制御を選択することにより、取出し口照明を消灯する条件に基づき取出し口照明を制御でき、自動販売機の周囲の明るさで取出し口照明を消灯するか、時間にて取出し口照明を消灯するか、自動販売機の周囲の明るさと時間の両方の条件にて取出し口照明を消灯するかを選択でき、ロケーションに最も適した条件にて、取出し口照明を消灯することで、無駄な電力の消費を最大限になくすことができる。
【００３６】
また、周囲照度判定手段１にて判定された周囲の明るさに応じて、取出し口照明照度制御手段８にて取出し口照明の照度を可変することにより、周囲照度判定手段１にて、点灯するのに適した取出し口照明の照度を判定でき、その判定に基づき取出し口照明を点灯するので、取出し口照明を点灯する場合でも、周囲の明るさに合わせて照度を調整するので、より細かな電力の消費をなくすことができる。
【産業上の利用可能性】
【００３７】
以上のように、本発明にかかる自動販売機の制御装置は、自動販売機の周囲の明るさに応じて、取出し口照明を制御できるので、自動販売機分野に幅広く適用することができる。
【図面の簡単な説明】
【００３８】
【図１】本発明の実施の形態１による自動販売機の制御装置の機能ブロック図
【図２】同実施の形態の自動販売機の制御装置の動作を示すフローチャート
【符号の説明】
【００３９】
１    周囲照度判定手段
２    タイマー
３    取出し口照明消灯時間記憶手段
４    取出し口照明消灯時間設定手段
５    取出し口照明消灯条件記憶手段
６    取出し口照明消灯条件設定手段
７    取出し口照明制御手段
８    取出し口照明照度制御手段
９    商品搬出制御手段
１０  演算制御部
【図１】
2008040655.tif 000003
【図２】
2008040655.tif 000004